(57)【要約】【課題】気密性、断熱性および遮音性を向上できると共に、地震時でも水平方向における耐力を維持できる採光建具を提供すること。【解決手段】内窓は、枠体と透光面材３０とを備える。枠体の上下の横枠２２および左右の縦枠には、透光面材３０に当接した気密材１５，１６が設けられる。左右の縦枠には、透光面材３０が固定される。上下の横枠２２は、透光面材３０の室外面３１を受ける室外受け部５と、透光面材３０の室内面３２を受ける室内受け部６とを有する。上下の横枠２２には、透光面材３０の面外方向への変形力を受けて室外受け部５および前記室内受け部６のうちの少なくとも一方が透光面材３０から外れることを許容可能な脆弱部７が設定される。【選択図】図４
2020007846.tif 000002
【特許請求の範囲】
【請求項１】
上下の横枠および左右の縦枠を有した枠体と、前記枠体内に配置されて前記上下の横枠および前記左右の縦枠のうちの一方に固定された可撓性を有した透光面材とを備えており、
前記上下の横枠および前記左右の縦枠には、前記透光面材に当接した気密材が設けられており、
前記上下の横枠および前記左右の縦枠は、前記透光面材の室外面を受ける室外受け部と、前記透光面材の室内面を受ける室内受け部とを有しており、
前記上下の横枠および前記左右の縦枠のうちの他方には、前記透光面材の面外方向への変形力を受けて前記室外受け部および前記室内受け部のうちの少なくとも一方が前記透光面材から外れることを許容可能な脆弱部が設定されている
ことを特徴とする採光建具。
【請求項２】
請求項１に記載の採光建具において、
前記上下の横枠は、見付け枠部および見込み枠部を有した枠本体と、前記見込み枠部に装着される押縁とを備えており、
前記透光面材の室外面に当接する前記気密材が前記見付け枠部に装着されることによって前記室外受け部が構成されており、
前記透光面材の室内面に当接する前記気密材が前記押縁に装着されることによって前記室内受け部が構成されており、
前記脆弱部は前記押縁に設定されている
ことを特徴とする採光建具。
【請求項３】
請求項２に記載の採光建具において、
前記押縁は、前記見込み枠部に係合される押縁本体部と、前記押縁本体部から室外側に延出した押縁延出片部とを有しており、
前記押縁延出片部の室外端部に前記気密材が装着されることで前記室内受け部が構成されており、
前記押縁延出片部には、前記脆弱部として設定される断面欠損部が形成されている
ことを特徴とする採光建具。
【請求項４】
請求項３に記載の採光建具において、
前記見付け枠部、前記見込み枠部および前記押縁本体部によって前記透光面材が配置される溝部が形成されており、
前記溝部は、地震時における前記透光面材の面外方向への最大変形を許容可能な見込み寸法とされている
ことを特徴とする採光建具。
【請求項５】
請求項２に記載の採光建具において、
前記見込み枠部には係合溝部が形成されており、
前記押縁には前記係合溝部に係合する係合爪部が形成されており、
前記係合爪部に前記脆弱部が設定されている
ことを特徴とする採光建具。
【発明の詳細な説明】
【技術分野】
【０００１】
本発明は、建物内の採光を得られる採光建具に関する。
【背景技術】
【０００２】
従来、アクリル樹脂板やポリカーボネートなどの樹脂材料によって形成された透光面材を一対の柱で保持してなる耐力壁が知られている（特許文献１参照）。この耐力壁では、透光面材の上下方向に沿った左右の側縁部が取付用ねじによって上下方向に沿った枠体にそれぞれ取り付けられ、一対の枠体が一対の柱に木ねじによって固定される。透光面材は土台や床面および天井面に対して取り付けられておらず上下の間隔を隔てて配置されている。
【先行技術文献】
【特許文献】
【０００３】
【特許文献１】特開２０１０−０４８０１３号公報
【発明の概要】
【発明が解決しようとする課題】
【０００４】
ところで、特許文献１に記載の耐力壁では、透光面材が土台や床面および天井面に対して取り付けられていないので、耐力壁によって室内外が仕切られきれておらず、このため、気密性、断熱性や遮音性を向上することが困難である。また、例えば透光面材と土台や床面および天井面との間に通常の面材を配置することがあるが、透光面材は前記通常の面材に取り付けられる構成となっていないので、透光面材と通常の面材との間に隙間が生じるおそれがあり、気密性、断熱性や遮音性を向上することが困難である。
ここで、透光面材を土台や床面および天井面に取り付けて室内外を仕切ることで、気密性、断熱性や遮音性の向上を図ることが考えられる。しかし、この場合には透光面材の四周をすべて固定することとなるので、地震時における透光面材の面外方向への変形が規制されて力の逃げ場を失って面材が一対の柱から剥がれてしまうおそれがある。
【０００５】
本発明の目的は、気密性、断熱性および遮音性を向上できると共に、地震時でも透光面材を保持できる採光建具を提供することにある。
【課題を解決するための手段】
【０００６】
本発明の採光建具は、上下の横枠および左右の縦枠を有した枠体と、前記枠体内に配置されて前記上下の横枠および前記左右の縦枠のうちの一方に固定された可撓性を有した透光面材とを備えており、前記上下の横枠および前記左右の縦枠には、前記透光面材に当接した気密材が設けられており、前記上下の横枠および前記左右の縦枠は、前記透光面材の室外面を受ける室外受け部と、前記透光面材の室内面を受ける室内受け部とを有しており、前記上下の横枠および前記左右の縦枠のうちの他方には、前記透光面材の面外方向への変形力を受けて前記室外受け部および前記室内受け部のうちの少なくとも一方が前記透光面材から外れることを許容可能な脆弱部が設定されていることを特徴とする。
【発明の効果】
【０００７】
本発明によれば、気密性、断熱性および遮音性を向上できると共に、地震時でも透光面材を保持できる採光建具を提供することができる。
【図面の簡単な説明】
【０００８】
【図１】本発明の実施形態に係る内窓を示す内観姿図。
【図２】前記実施形態に係る内窓を示す縦断面図。
【図３】前記実施形態に係る内窓を示す横断面図。
【図４】前記実施形態に係る内窓の横枠を示す説明図。
【図５】前記実施形態に係る内窓の縦枠を示す説明図。
【図６】本発明の実施形態に係る内窓の各種横枠を示す説明図。
【発明を実施するための形態】
【０００９】
［本実施形態の構成］
以下、本発明の実施形態を図面に基づいて説明する。
図１〜図３において、本実施形態に係る採光建具である内窓１０は、建物躯体２に設置された外窓１に対して室内側に設置されている。内窓１０は、上下の横枠２１，２２（上枠、下枠）および左右の縦枠２３，２４を枠組みしてなる枠体２０（窓枠）と、枠体２０内に配置された透光面材３０とを備えた嵌め殺し窓によって構成されている。
以下の説明において、内窓１０の左右方向をＸ軸方向とし、内窓１０の上下方向をＹ軸方向とし、内窓１０の室内外方向（見込み方向）をＺ軸方向とする。Ｘ，Ｙ，Ｚ軸方向は互いに直交する。
【００１０】
横枠２１，２２および縦枠２３，２４は断面形状同一のアルミ押出形材によってそれぞれ形成されており、建物躯体２にそれぞれネジ止めされている。透光面材３０は、透光性を有したアクリル樹脂板、ポリカーボネード等の樹脂材料によって矩形板状に形成されており、Ｚ軸方向（透光面材３０の面外方向）に弾性変形可能な可撓性を有している。
【００１１】
横枠２１，２２は、互いに同様に形成されて上下逆向きに配置されている。ここでは図４に示すように透光面材３０の下縁部を保持する横枠２２（下枠）の構成について説明し、透光面材３０の上縁部を保持する横枠２１（上枠）の構成については横枠２２の構成と同符号を適宜付してその説明を省略する。
横枠２２は、Ｙ軸方向に沿った見付け枠部１１１および見付け枠部１１１に連続したＺ軸方向に沿った見込み枠部１１２を有した枠本体１１と、見込み枠部１１２の室内端部に装着された押縁１２とを備えている。
見付け枠部１１１には、その長手方向に沿った中空部１１３が形成されていると共に、その見付け方向における内周側の縁部に係合溝部１１４が形成されており、この係合溝部１１４に気密材１５が装着されている。このように見付け枠部１１１に気密材１５が装着されることで透光面材３０の室外面３１に対する室外受け部５が構成されており、この気密材１５および見込み枠部１１２の室内側見付け面が透光面材３０の室外面３１に当接することによって透光面材３０の室外面３１を受けている。
見込み枠部１１２には、その長手方向に沿った中空部１１６が形成されていると共に、その室内縁部に係合溝部１１７が形成されている。この見込み枠部１１２は建物躯体２にネジ止めされており、透光面材３０に対して見付け方向の間隔を隔てて配置されている。
【００１２】
押縁１２は、見込み枠部１１２に係合される矩形中空枠状の押縁本体部１２１と、押縁本体部１２１の内周側室外縁部から室外側に向かってＺ軸方向に延出した押縁延出片部１２２と、押縁本体部１２１の下面から外周側に突出した一対の係合爪部１２３，１２４とを有している。また、押縁１２には、押縁本体部１２１の外周側室外縁部から室外側に突出した突出片部１２５と、押縁本体部１２１の外周側室内縁部から外周側に突出した外周片部１２６とが形成されている。突出片部１２５は、一対の係合爪部１２３，１２４のうち室外側に位置する係合爪部１２３の先端にある爪と見付け方向に対向している。外周片部１２６は、係合爪部１２４に対して見込み方向に対向している。
押縁延出片部１２２の室外端部には気密材１６が装着されており、このように押縁延出片部１２２に気密材１６が装着されることで透光面材３０の室内面３２に対する室内受け部６（室内押え部）が構成されており、この気密材１６が透光面材３０の室内面３２に当接することによって透光面材３０の室内面３２を受けている。
この押縁延出片部１２２には断面欠損部１２７が形成されている。本実施形態では、断面欠損部１２７は、押縁延出片部１２２の外周側の面１２２Ａのうち押縁本体部１２１に連続する端部に凹部が形成されることによって構成されている。この断面欠損部１２７は、地震時に透光面材３０の面外方向への所定以上の変形力を受けて変形する脆弱部７として設定されている。脆弱部７は、地震時における透光面材３０の面外方向への所定以上の変形力、すなわち、透光面材３０の面外方向への変形力が、左右の縦枠２３，２４と透光面材３０との固定状態が維持できる範囲を超える変形力に至った場合に変形して室内受け部６を透光面材３０から外せる程度に脆弱に設定されている。
この押縁１２には、見付け枠部１１１、見込み枠部１１２および押縁本体部１２１によって透光面材３０が配置される溝部１２８が形成されている。溝部１２８の見込み寸法Ｗは、透光面材３０が地震時に想定される面外方向への最大変形を許容可能な程度に大きい寸法とされている。
また、押縁１２は、気密材１６が透光面材３０の室内面３２に当接しながら係合爪部１２３，１２４が係合溝部１１７に押し込まれて係合される。これにより、押縁延出片部１２２には内周側に向かう変形力が多少加えられることとなり、脆弱部７の変形時には、押縁延出片部１２２は、内周側に向かう特定方向に折り曲がるようになっている。
【００１３】
左右の縦枠２３，２４は、図３および図５に示すように横枠２２と同様に形成されて左右逆向きに配置されているので、縦枠２３，２４の構成については横枠２２と同符号を適宜付してこれらの説明を省略する。
なお、縦枠２３，２４の見付け枠部１１１には、透光面材３０の左右の側縁部が固定具である固定ネジ８によって固定されている。また、横枠２１，２２および縦枠２３，２４の気密材１５，１６は、透光面材３０の四周にわたって配置されている。
【００１４】
[実施形態の効果]
前述した本実施形態に係る内窓１０は、上下の横枠２１，２２および左右の縦枠２３，２４が建物躯体２にネジ止めされていると共に気密材１５，１６が四周にわたって透光面材３０に当接しているので、室内外間の気密性、断熱性および遮音性を備えることができる。
また、地震時において内窓１０がＸ軸方向に揺動される場合には、透光面材３０にはＺ軸方向に変形しようとするが、押縁１２の脆弱部７に変形や破断が生じない範囲では横枠２１，２２の室外受け部５および室内受け部６は透光面材３０を受け続ける。また、図６（Ａ）に示すように透光面材３０のＺ軸方向の変形力が前述したように所定以上にまで大きくなった場合には、脆弱部７に変形や破断が生じ、押縁延出片部１２２が内周側に折れ曲がることで気密材１６が透光面材３０から外れる。これにより、横枠２１，２２による透光面材３０の保持が解除され、透光面材３０のＺ軸方向への変形を許容して、縦枠２３，２４から透光面材３０が外れることを抑制し、内窓１０の水平方向における耐力を維持する。また、各枠本体１１の見込み枠部１１２が透光面材３０に対して見付け方向の間隔を隔てて配置されているので、地震時においても透光面材３０が見込み枠部１１２に干渉することがない。
【００１５】
［変形例］
前記実施形態では、脆弱部７は押縁延出片部１２２の外周側の面１２２Ａのうち押縁本体部１２１に連続する端部に凹部によって形成された断面欠損部１２７によって設定されているが、前記端部よりも室外端部側に離れた位置に形成されていてもよく、また、図６（Ｂ）に示すように押縁延出片部１２２の内周側の面１２２Ｂに形成された凹部によって形成された断面欠損部１２７によって脆弱部７が設定されてもよく、この場合でも前述した本実施形態と同様に作用する。
また、脆弱部７は押縁延出片部１２２に形成されているが、例えば図６（Ｃ）に示すように係合爪部１２３や外周片部１２６に脆弱部７が設定されていてもよく、この場合でも、脆弱部７の変形や破断によって横枠２１，２２による透光面材３０の保持が解除され、透光面材３０の面外方向への変形を許容する。
更にまた、前記実施形態では、脆弱部７は押縁１２に設定されているが、これに限らず、枠本体１１に設定されていてもよい。
前記実施形態では、透光面材３０が縦枠２３，２４に固定され、横枠２１，２２に脆弱部７が設定されているが、例えば透光面材３０が縦枠２３，２４ではなく横枠２１，２２に固定される場合には、縦枠２３，２４に脆弱部７が設定されていてもよい。
前記実施形態では、内窓１０を採光建具として説明しているが、このほかの各種の窓や建物内に採光を得られる壁部を構成する耐力壁として構成されていてもよい。
【００１６】
［本発明のまとめ］
本発明の採光建具は、上下の横枠および左右の縦枠を有した枠体と、前記枠体内に配置されて前記上下の横枠および前記左右の縦枠のうちの一方に固定された可撓性を有した透光面材とを備えており、前記上下の横枠および前記左右の縦枠には、前記透光面材に当接した気密材が設けられており、前記上下の横枠および前記左右の縦枠は、前記透光面材の室外面を受ける室外受け部と、前記透光面材の室内面を受ける室内受け部とを有しており、前記上下の横枠および前記左右の縦枠のうちの他方には、前記透光面材の面外方向への変形力を受けて前記室外受け部および前記室内受け部のうちの少なくとも一方が前記透光面材から外れることを許容可能な脆弱部が設定されていることを特徴とする。
本発明の建具によれば、透光面材を採用しているので建物内に採光を得ることができ、上下の横枠および左右の縦枠の気密材が透光面材に当接しているので、上下の横枠を建物の床面や天井面などに取り付け且つ左右の縦枠を左右の柱などに取り付けて室内外を仕切ることで、気密性、断熱性および遮音性を向上できる。加えて、上下の横枠に脆弱部が設定されているので、前述したように上下の横枠を建物の床面や天井面などに取り付け且つ左右の縦枠を左右の柱などに取り付けても、地震時などには透光面材の面外方向への所定以上の変形力を室外受け部や室内受け部が受けることで特定箇所である脆弱部に変形や破断が生じる。これにより、透光面材の面外方向への変形を許容して力を逃がすことで、透光面材が左右の縦枠に固定される場合には当該左右の縦枠から透光面材が剥がれることを抑制でき、透光面材が上下の横枠に固定される場合には当該上下の横枠から透光面材が剥がれることを抑制でき、透光面材を保持し続けることができる。
【００１７】
本発明の採光建具では、前記上下の横枠は、見付け枠部および見込み枠部を有した枠本体と、前記見込み枠部に装着される押縁とを備えており、前記透光面材の室外面に当接する前記気密材が前記見付け枠部に装着されることによって前記室外受け部が構成されており、前記透光面材の室内面に当接する前記気密材が前記押縁に装着されることによって前記室内受け部が構成されており、前記脆弱部は前記押縁に設定されていてもよい。
このような構成によれば、室外受け部および室内受け部の双方における気密材が前記透光面材に当接することで気密性、断熱性および遮音性を向上できると共に、地震時に押縁の脆弱部が変形したり破断したりしても、押縁を新たなものに交換するだけでよく、既設の枠本体を交換せずにそのまま利用できる。
【００１８】
本発明の採光建具では、前記押縁は、前記見込み枠部に係合される押縁本体部と、前記押縁本体部から室外側に延出した押縁延出片部とを有しており、前記押縁延出片部の室外端部に前記気密材が装着されることで前記室内受け部が構成されており、前記押縁延出片部には、前記脆弱部として設定される断面欠損部が形成されていてもよい。
このような構成によれば、地震時に面外方向へ変形しようとする透光面材によって室内受け部が押されると、押縁延出片部が断面欠損部において変形や破断を生じる。これにより、室内受け部が透光面材から外れて透光面材の面外方向への変形を許容することができる。
【００１９】
本発明の透光建具では、前記見付け枠部、前記見込み枠部および前記押縁本体部によって前記透光面材が配置される溝部が形成されており、前記溝部は、地震時における前記透光面材の面外方向への最大変形を許容可能な見込み寸法とされていてもよい。
このような構成によれば、地震時に脆弱部に変形や破断が生じた状態には、透光面材は横枠の溝部にて面外方向に変形することができて水平方向における耐力を維持できる。
【符号の説明】
【００２０】
１…外窓、１０…内窓、１１…枠本体、１１１…見付け枠部、１１２…見込み枠部、１１４，１１７…係合溝部、１２…押縁、１２１…押縁本体部、１２２…押縁延出片部、１２２Ａ，１２２Ｂ…面、１２３，１２４…係合爪部、１２７…断面欠損部、１２８…溝部、１５，１６…気密材、２…建物躯体、２０…枠体、２１，２２…横枠、２３，２４…縦枠、３０…透光面材、３１…室外面、３２…室内面、５…室外受け部、６…室内受け部、７…脆弱部、８…固定ネジ、Ｗ…見込み寸法。
【図１】
2020007846.tif 000003
【図２】
2020007846.tif 000004
【図３】
2020007846.tif 000005
【図４】
2020007846.tif 000006
【図５】
2020007846.tif 000007
【図６】
2020007846.tif 000008